(57)【要約】【課題】定着鉄筋の本数を削減するとともに、施工性の向上を図ることができる鋼管コンクリート杭と基礎スラブコンクリートとの杭頭接合構造を提供すること。【解決手段】鋼管２の端板４の上面にその内側の一部が添着されるプレート５と、このプレート５の外側の一部から垂下され、鋼管２の外周面に添着される２枚のリブ板６とを設けるとともに、プレート５上に鉄筋３を立設し、リブ板６を鋼管２の外周面に溶着する。【選択図】図１
2008050863.tif 000002
【特許請求の範囲】
【請求項１】
鋼管コンクリート杭の杭頭部の鋼管から、杭の軸方向に複数本の鉄筋を延設し、該鉄筋を基礎スラブコンクリートに埋設するようにした鋼管コンクリート杭と基礎スラブコンクリートとの杭頭接合構造において、鋼管の端板上面にその内側が添着されるプレートと、該プレートの外側から垂下され、鋼管の外周面に添着されるリブ板とを設けるとともに、プレート上に鉄筋を立設し、リブ板を鋼管の外周面に溶着したことを特徴とする鋼管コンクリート杭と基礎スラブコンクリートとの杭頭接合構造。
【発明の詳細な説明】
【技術分野】
【０００１】
本発明は、鋼管コンクリート杭（ＳＣ杭）と基礎スラブコンクリートとの杭頭接合構造に関し、特に、定着鉄筋の本数を削減するとともに、施工性の向上を図ることができる鋼管コンクリート杭と基礎スラブコンクリートとの杭頭接合構造に関するものである。
【背景技術】
【０００２】
建築構造物の高層化等に伴い、従来の場所打コンクリート杭の耐震性をより一層向上するために、場所打コンクリート杭のうち、大きい曲げモーメントや剪断力を受ける杭頭部等を鋼管コンクリート杭で構成した場所打鋼管コンクリート杭（複合場所打杭）が用いられている。
【０００３】
この鋼管コンクリート杭からなる杭頭部とフーチングの接合構造として、従来より、ひげ筋工法が提案され、実用化されている。
ひげ筋工法による鋼管コンクリート杭の杭頭接合構造は、図１（ｃ）に示すように、鋼管コンクリート杭１の鋼管２の外周面に、杭１の軸方向に突出するように複数本の鉄筋３を溶接し、該鉄筋３を基礎スラブコンクリート（図示省略）に埋設するようにしている。
このひげ筋工法による鋼管コンクリート杭の杭頭接合構造は、鋼管コンクリート杭のフーチングへの突出長さを短くし、杭の軸方向に延設した鉄筋３を用いて定着を行うようにしている。
【０００４】
ところで、近年、鋼管コンクリート杭の高強度化のために、太径のＤ２９やＤ３２等の鉄筋が使用されるケースが増えている。また、材質においてもＳＤ３９０相当のものもある。
しかしながら、このようなひげ筋工法で設計されたものを、杭頭端板に鉄筋をスタッド溶接するパイルスタッド工法に置き換える場合は、鉄筋本数が増えて施工できないケースが多い。
また、ひげ筋工法自体においても、溶接姿勢が大変であったり、鋼管コンクリート杭との接合時の外周深さが深いなど、施工性等に問題が多々ある。
【発明の開示】
【発明が解決しようとする課題】
【０００５】
本発明は、上記従来の鋼管コンクリート杭と基礎スラブコンクリートとの杭頭接合構造が有する問題点に鑑み、定着鉄筋の本数を削減するとともに、施工性の向上を図ることができる鋼管コンクリート杭と基礎スラブコンクリートとの杭頭接合構造を提供することを目的とする。
【課題を解決するための手段】
【０００６】
上記目的を達成するため、本発明の鋼管コンクリート杭と基礎スラブコンクリートとの杭頭接合構造は、鋼管コンクリート杭の杭頭部の鋼管から、杭の軸方向に複数本の鉄筋を延設し、該鉄筋を基礎スラブコンクリートに埋設するようにした鋼管コンクリート杭と基礎スラブコンクリートとの杭頭接合構造において、鋼管の端板上面にその内側が添着されるプレートと、該プレートの外側から垂下され、鋼管の外周面に添着されるリブ板とを設けるとともに、プレート上に鉄筋を立設し、リブ板を鋼管の外周面に溶着したことを特徴とする。
【発明の効果】
【０００７】
本発明の鋼管コンクリート杭と基礎スラブコンクリートとの杭頭接合構造によれば、鋼管コンクリート杭の杭頭部の鋼管から、杭の軸方向に複数本の鉄筋を延設し、該鉄筋を基礎スラブコンクリートに埋設するようにした鋼管コンクリート杭と基礎スラブコンクリートとの杭頭接合構造において、鋼管の端板上面にその内側が添着されるプレートと、該プレートの外側から垂下され、鋼管の外周面に添着されるリブ板とを設けるとともに、プレート上に鉄筋を立設し、リブ板を鋼管の外周面に溶着することから、プレートにより鉄筋の溶接面積を確保して、鉄筋を太くしその本数を減らすとともに、仮付けが簡単であることから溶接姿勢を楽にし、これにより、開先溶接等によりリブ板の溶接を容易にすることができる。
そして、リブ板により溶接長を短くして、鋼管コンクリート杭の接合時の外周深さを浅くするとともに、残土処理数を低減することができる。
【発明を実施するための最良の形態】
【０００８】
以下、本発明の鋼管コンクリート杭と基礎スラブコンクリートとの杭頭接合構造の実施の形態を、図面に基づいて説明する。
【実施例１】
【０００９】
図１〜図２に、本発明の鋼管コンクリート杭と基礎スラブコンクリートとの杭頭接合構造の一実施例を示す。
この鋼管コンクリート杭と基礎スラブコンクリートとの杭頭接合構造は、鋼管コンクリート杭１の杭頭部の鋼管２から、杭の軸方向に複数本の鉄筋３を延設し、該鉄筋３を基礎スラブコンクリート（図示省略）に埋設するようにしている。
そして、この鋼管コンクリート杭と基礎スラブコンクリートとの杭頭接合構造は、鋼管２の端板４の上面にその内側の一部が添着されるプレート５と、該プレート５の外側の一部から垂下され、鋼管２の外周面に添着される２枚のリブ板６とを設けるとともに、プレート５上に鉄筋３を立設し、リブ板６を鋼管２の外周面に溶着するようにしている。
【００１０】
プレート５は、本実施例では、１本の鉄筋３について１枚が使用され、該プレート上に立設される鉄筋３に適切な溶接面積を付与している。
プレート５は、その長手方向が端板４の半径方向に配設される長方形の鉄板からなり、その内側半分が端板４上面に略水平に添着される。
そして、プレート５の外側半分の下面には、２枚のリブ板６がレ形開先突合わせ溶接７１で溶着されるとともに、プレート５上面の中心には、鉄筋３がマグ溶接７２により立設されている。
【００１１】
リブ板６は、本実施例では１枚のプレート５について２枚が使用され、内側の辺が杭の鋼管外周面に当接できるように、該プレート５の下面に杭の半径方向に溶接されている。
そして、各リブ板６の内側の辺と杭の鋼管外周面とは、レ形開先突合わせ溶接７３によりそれぞれ溶着されている。
【００１２】
鉄筋３は、基礎スラブのコンクリート（図示省略）の付着性を高めるために、外周面に凹凸を形成した異形鉄筋が使用されている。
プレート５は、長手方向の外側半分が、端板４から外側にはみ出すように固定されるが、鉄筋３は、プレート５の中心位置に立設されるため、鉄筋３にかかる軸荷重は大半が端板４に担持される。
なお、プレート５やリブ板６、鉄筋３のサイズや板厚の関係は、一例として下記表１に示す通りである。
【００１３】
【表１】
2008050863.tif 000003
【００１４】
次に、本実施例の施工例を説明する。
まず、工場作業として、下記の接合を行う。
（１）図２（ａ）に示すように、プレート５と２枚のリブ板６を、レ形開先突合わせ溶接７１で接合する。
（２）プレート５の所定の位置に、鉄筋３をマグ溶接７２で接合する。
なお、図１において、符号７４は、マグ溶接の裏当材である。
【００１５】
次に、現場作業として、鋼管コンクリート杭１との接合を行う。
（１）プレート５と接合した鉄筋３を現場に搬送し、図２（ｂ）に示すように、鋼管コンクリート杭１の端板４の所定の場所に位置決めする。
（２）図２（ｃ）に示すように、プレート５と端板４とを仮溶接７５により仮付けする。なお、この仮溶接７５の接合部は強度を期待しない。
（３）図２（ｃ）に示すように、杭の鋼管２の外周面と各リブ板６の内側の辺とを、レ形開先突合わせ溶接７３にて接合する。
あとは、必要な鉄筋３の数だけ、上記１〜３を繰り返す。
【００１６】
下記表２に、本実施例の鋼管コンクリート杭と基礎スラブコンクリートとの杭頭接合構造と従来例との比較を示す。
【００１７】
【表２】
2008050863.tif 000004
【００１８】
かくして、本実施例の鋼管コンクリート杭と基礎スラブコンクリートとの杭頭接合構造は、鋼管コンクリート杭１の杭頭部の鋼管２から、杭の軸方向に複数本の鉄筋３を延設し、該鉄筋３を基礎スラブコンクリートに埋設するようにした鋼管コンクリート杭と基礎スラブコンクリートとの杭頭接合構造において、鋼管２の端板４上面にその内側の一部が添着されるプレート５と、該プレート５の外側の一部から垂下され、鋼管２の外周面に添着されるリブ板６とを設けるとともに、プレート５上に鉄筋３を立設し、リブ板６を鋼管２の外周面に溶着することから、プレート５により鉄筋３の溶接面積を確保して、鉄筋３を太くしその本数を減らすとともに、仮付けが簡単であることから溶接姿勢を楽にし、これにより、開先溶接等によりリブ板６の溶接を容易にすることができる。
そして、図１に示すように、リブ板６により溶接長を短くして、鋼管コンクリート杭１の接合時の外周深さＬを浅くするとともに、残土処理数を低減することができる。
【００１９】
以上、本発明の鋼管コンクリート杭と基礎スラブコンクリートとの杭頭接合構造について、その実施例に基づいて説明したが、本発明は上記実施例に記載した構成に限定されるものではなく、実施例に記載した構成を適宜組み合わせるなど、その趣旨を逸脱しない範囲において適宜その構成を変更することができる。
【産業上の利用可能性】
【００２０】
本発明の鋼管コンクリート杭と基礎スラブコンクリートとの杭頭接合構造は、定着鉄筋の本数を削減するとともに、施工性の向上を図ることができるという特性を有していることから、例えば、ひげ筋工法で設計されたものをパイルスタッド工法に置き換える場合に好適に用いることができる。
【図面の簡単な説明】
【００２１】
【図１】鋼管コンクリート杭と基礎スラブコンクリートとの杭頭接合構造を示し、（ａ）は本発明の実施例を示す部分断面図、（ｂ）は同部分側面図、（ｃ）は従来例の部分断面図である。
【図２】同実施例の施工手順を示し、（ａ）はプレートにリブ板と鉄筋を溶着した状態を示す２面図、（ｂ）は杭の鋼管にプレートを仮付けする状態を示す断面図、（ｃ）はプレートのリブ板を杭の鋼管に溶接した状態を示す断面図である。
【符号の説明】
【００２２】
１    鋼管コンクリート杭
２    鋼管
３    鉄筋
４    端板
５    プレート
６    リブ板
７１  レ形開先突合わせ溶接
７２  マグ溶接
７３  レ形開先突合わせ溶接
７４  裏当材
７５  仮溶接
【図１】
2008050863.tif 000005
【図２】
2008050863.tif 000006